(57)【要約】      （修正有）【課題】イヤホン本体６ａとコード６ｂの接続部にかかる力を軽減すると共に、イヤホン本体６ａの形状を利用してコード付きイヤホンの巻取り器１の輪郭形状を良くすることができるコード付きイヤホンの巻取り器１を提供する。【解決手段】所要板厚の弾性変形が可能な板材から適宜の外形形状に形成されコード６ｂを巻き取る巻取り板本体２と、前記巻取り板本体２に開孔されコード６ｂの一端に接続するイヤホン本体６ａを差込み収容するイヤホン係止孔３と、前記巻取り板本体２の縁部から切込み形成されプラグを接続する前記コード６ｂの他端を割込み挟持する挟持用スリット４と、を備える。【選択図】図１
0003150121.tif 000002
【実用新案登録請求の範囲】
【請求項１】
所要板厚の弾性変形が可能な板材から適宜の外形形状に形成されコードを巻き取る巻取り板本体と、前記巻取り板本体に開孔されコードの一端に接続するイヤホン本体を差込み収容するイヤホン係止孔と、前記巻取り板本体の縁部から切込み形成されプラグを接続する前記コードの他端を割込み挟持する挟持用スリットと、を備えることを特徴とするコード付きイヤホンの巻取り器。
【請求項２】
前記巻取り板本体は、前記イヤホン係止孔と前記挟持用スリットとの間に位置する板部分の縁部に前記コードを巻き付ける括れ部を有することを特徴とする請求項１に記載のコード付きイヤホンの巻取り器。
【考案の詳細な説明】
【技術分野】
【０００１】
本考案は、イヤホン本体とコードとプラグから成るコード付きイヤホンの巻取り器に関する。
【背景技術】
【０００２】
現在、携帯電話や携帯ミュージックプレイヤ、携帯ゲーム機等の携帯機器に接続するためのイヤホンの一つのタイプにイヤホン本体とコードとプラグとから成るものがある。イヤホンは、携帯機器を使用しない場合では、コードが収納の邪魔となるため、携帯機器にイヤホンのプラグを接続したままコードを携帯機器に巻き付けて収納する手段か、あるいは携帯機器からプラグを外してイヤホン（全体）をコンパクトにまとめて収納する手段が多く用いられている。
【０００３】
しかし、携帯機器にイヤホンのプラグを接続したままコードを携帯機器に巻き付けて収納する手段では、携帯機器とイヤホンを一緒に収納できるものの、携帯機器とプラグは常時接続され、携帯機器を使用、収納するたびにイヤホンのプラグとコードの接続部に巻き始めの力が集中するため、接続部が痛み、イヤホンが断線することがある。
また、携帯機器からイヤホンのプラグを外してイヤホンのみを丸めて収納する手段では、イヤホン（全体）をコンパクトにまとめてすばやく収納できるものの、再使用する場合にはイヤホンが絡み合っていることが多々あり、絡み合いを解いてから使用する手間がある。
【０００４】
従来、携帯機器からイヤホンのプラグを外し、絡まないようにすばやく収納するものとして、イヤホンとは別体のイヤホンのコード巻取り器が提案されている（例えば特許文献１、２参照）。
特許文献１のイヤホンのコード巻取り器は、リールセットの周縁部に複数個の凹部を設け、リールセットの一面にイヤホンコードを固定する少なくとも１つのフックを、他面に使用者の身体に装着する少なくとも１つの装着手段を備えたものである。
特許文献２のイヤホンのコード巻取り器は、一対の対向する鍵状凹部（フラスコ形の突起）を縁部に向けて有するヘッドホンコード収納クリップと、前記鍵状凹部に直交する位置に設ける括れ部（凹みの部分）を備えたものである。
【０００５】
【特許文献１】特開２０００−５９８７７号公報
【特許文献２】特開２００６−６７５３７号公報
【考案の概要】
【考案が解決しようとする課題】
【０００６】
しかし、特許文献１、２のイヤホンのコード巻取り器は、いずれもイヤホン本体とコードとの接続部を巻取り器本体に設けられた凹形溝によって保持する。そのため、イヤホン本体側が自由となり、イヤホン本体とコードの接続部に力がかかる。かばん等へ収容した場合においては特にイヤホン本体とコードの接続部に様々な力がかかるので断線の原因となる。
また、イヤホンをコード巻取り器で巻き取った後の輪郭形状に配慮がなされていない。
【０００７】
そこで、本考案は、イヤホン本体とコードとの接続部にかかる力を軽減すると共に、イヤホン本体の形状を利用してコード付きイヤホンの巻取り器の輪郭形状を良くすることができるコード付きイヤホンの巻取り器を提供することを目的とする。
【課題を解決するための手段】
【０００８】
本考案のコード付きイヤホンの巻取り器は、所要板厚の弾性変形が可能な板材から適宜の外形形状に形成されコードを巻き取る巻取り板本体と、前記巻取り板本体に開孔されコードの一端に接続するイヤホン本体を差込み収容するイヤホン係止孔と、前記巻取り板本体の縁部から切込み形成されプラグを接続する前記コードの他端を割込み挟持する挟持用スリットと、を備えることを特徴とする。
【０００９】
上記構成によれば、イヤホン本体を巻取り板本体の一面側からイヤホン係止孔に収容し保持させる一方、コードを巻取り板本体に巻付け、プラグに近いコードの端部をスリット状係止部に割込みし、プラグを張出状態にて巻付けを完了することができる。
さらに、イヤホン係止孔は弾性を有する巻取り板本体に対して貫通しているので、イヤホン本体がイヤホン係止孔より若干大きい場合であっても、イヤホン係止孔を変形、拡開してイヤホン本体を差込み、イヤホン本体あるいはイヤホン本体近傍を収容することができる。
【００１０】
また本考案の前記巻取り板本体は、イヤホン係止孔と挟持用スリットとの間に位置する板部分の縁部にコードを巻き付ける括れ部を有することを特徴とする。
【００１１】
上記構成によれば、イヤホン係止孔と挟持用スリットとの間に位置する板部分の縁部にコードを巻き付ける括れ部を有するので、コードの巻付けはイヤホン係止孔に掛かることなく巻取り板本体に巻き付くので、デザインを壊すことなく、見栄えの良いコード付きイヤホンの巻取り器を提供することができる。
【考案の効果】
【００１２】
本考案によれば、以下のような優れた効果を有するコード付きイヤホンの巻取り器を提供することができる。
（１）イヤホン係止孔にイヤホン本体を差込み収容し、巻取り板本体にコードを巻き付け保持し、挟持用スリットにプラグに近いコード端部を割込み、イヤホン本体あるいはイヤホン本体近傍を収容するのでイヤホン本体とコードの接続部にかかる力を軽減することができると共に、イヤホン端部を巻取り板本体が保持しているので、巻取り板本体に巻き付けられたコードが外れることがない。
（２）弾性を有する巻取り板本体のイヤホン係止孔に一面側からイヤホン本体を差込み、収容するので、イヤホン本体の外形がイヤホン係止孔より若干大きい場合においても、イヤホン係止孔を変形させて差込み、収容することができる。
（３）巻取り板本体は、イヤホン係止孔と挟持用スリットとの間に位置する板部分の縁部にコードを巻き付ける括れ部を有するので、巻取り板本体に巻き付けられるコードは、イヤホン係止孔と挟持用スリットを結ぶ線と交差し、巻き付けられるコードはイヤホン係止孔に掛かることがないのでデザインを壊すことなく、見栄えの良いコード付きイヤホンの巻取り器とすることができる。
【図面の簡単な説明】
【００１３】
【図１】第一の実施形態に係るコード付きイヤホンの巻取り器の正面斜視図である。
【図２】第一の実施形態に係るコード付きイヤホンの巻取り器の背面斜視図である。
【図３】第一の実施形態に係るコード付きイヤホンの巻取り器の正面斜視図である。
【図４】第一の実施形態に係るコード挟入時における挟持用スリットの状態を示す参考図である。
【図５】図３のＡ−Ａ断面図である。
【図６】図３のＡ−Ａ使用状態断面図である。
【図７】第二の実施形態に係るコード付きイヤホンの巻取り器の正面図である。
【考案を実施するための形態】
【００１４】
次に本考案の一実施形態に係るコード付きイヤホンの巻取り器を図面に基づいて説明する。
【００１５】
[構成]
図１〜図３に示すように、この実施形態におけるコード付きイヤホンの巻取り器１は、巻取り板本体２と、イヤホン係止孔３と、挟持用スリット４と、括れ部５と、を備えてなる。コード付きイヤホン（以下、単にイヤホンという。）６は、イヤホン本体６ａと、コード６ｂと、プラグ６ｃと、からなる。
【００１６】
巻取り板本体２は、イヤホン本体６ａをイヤホン係止孔３に差込み、収容保持し得る板厚であって、挟持用スリット４にコード６ｂを割込み可能な弾性変形する板材、例えばシリコン樹脂材から成り、輪郭形状として実生物又は創作生物を基に形成するのが好ましいが（図ではカエルの形状）、物品等を基に形成することもできる。
ここで、実生物とは現存及び過去に存在した生物等（微生物を含む）のことであり、創作生物とは実生物の略画や架空のキャラクター等であり、物品とはイヤホン本体６ａの形状を利用することができる構造、工業製品の形状、シンボル形状等を広く含むものである。
【００１７】
イヤホン係止孔３は、巻取り板本体２を実生物又は創作生物の輪郭形状とした場合、生物の眼球位置に開孔され、イヤホン６のイヤホン本体６ａがイヤホン係止孔３の内周縁部に設けられたテーパ７によってガイドされて差込みし、内周のリブ８によってイヤホン本体６ａ外周を収容する。
本実施形態においては、二つのイヤホン係止孔３を有するコード付きイヤホンの巻取り器１を示している。なお、イヤホン本体６ａを差込み、収容できる形状であれば良いので、イヤホン本体６ａが一つしかない片耳用のイヤホンの場合は一つのイヤホン係止孔３とすることができる。
さらに、二つのイヤホン本体６ａを有する両耳用のイヤホンの場合であっても、二つのイヤホン係止孔３、３を一つに連続させることで二つのイヤホン本体６ａを差込み、収容できる一つのイヤホン係止孔３としても良い（図７参照）。
【００１８】
挟持用スリット４は、イヤホン係止孔３の縁部から形状鍵形に切込み形成され、イヤホンのコード６ｂを挟持する。
また、挟持用スリット４の形状は、イヤホンのコード６ｂを割込み、保持することができる形状であれば良い。挟持用スリット４の開口端縁部を開口入口に向かって広げても良い（図７参照）。
【００１９】
括れ部５は、イヤホン係止孔３と挟持用スリット４との間に位置する板部分の縁部に設けられ、コード６ｂが括れ部５を利用して巻き付けられる。巻取り板本体２に巻き付けられるコード６ｂは、イヤホン係止孔３と挟持用スリット４を結ぶ線と交差している。
本実施形態における括れ部５は、巻取り板本体２の輪郭形状が左右対称となっているため、括れ部５の形状も同様となっているが、括れ部５を利用してイヤホン６のコード６ｂが綺麗に巻き付けられる形状であれば良い。
【００２０】
[作用]
巻取り板本体２は、イヤホン係止孔３からイヤホン本体６ａの先端が飛び出し、飛び出したイヤホン本体６ａの先端を利用する輪郭形状になっているので、イヤホン６の巻付け後は、見栄えの良いコード付きイヤホンの巻取り器１となっている。
【００２１】
イヤホン６の一端に接続するイヤホン本体６ａを巻取り板本体２の正面側あるいは背面側からイヤホン係止孔３で差込み収容し、コード６ｂを巻取り板本体２の括れ部５に巻付け、プラグ６ｃが接続されるコード６ｂの他端を巻取り板本体２が割込み可能な弾性変形する板材であることを利用して挟持用スリット４を変形させて割込み挟持する。
イヤホン係止孔３にイヤホン本体６ａを差込み収容し、巻取り板本体２にコード６ｂを巻き付け保持し、挟持用スリット４にプラグ６ｃに近いコード６ｂ端部を割込み、イヤホン本体６ａあるいはイヤホン本体６ａ近傍を収容するのでイヤホン本体６ａとコード６ｂの接続部にかかる力を軽減することができると共に、イヤホン６端部を巻取り板本体２が保持しているので、巻取り板本体２に巻き付けられたコード６ｂが外れることがない。
【００２２】
この実施形態では、イヤホン係止孔３は、巻取り板本体２に対して貫通し、巻取り板本体２がシリコン樹脂材から成る弾性変形可能な板材となっているので、イヤホン本体６ａがイヤホン係止孔３より若干大きい場合であっても、イヤホン係止孔３を変形、拡開してイヤホン本体６ａを差込み収容することができる。
また、実生物又は創作生物等の輪郭形状に形成される巻取り板本体２では眼球位置に、生物ではない物品等の輪郭形状に形成される巻取り板本体２では、イヤホン本体６ａの形状を利用することができる位置にイヤホン本体６ａを一面側から差込み収容するので、イヤホン本体６ａの先端を眼球部分に見立て、飛び出し気味とするデザインのコード付きイヤホンの巻取り器１とすることができる。
【００２３】
括れ部５は、イヤホン係止孔３と挟持用スリット４との間に位置する板部分の縁部に設けているので、巻取り板本体２に巻き付けられるコード６ｂは、イヤホン係止孔３と挟持用スリット４を結ぶ線と交差し、巻き付けられるコード６ｂはイヤホン係止孔３に掛かることがないのでデザインを壊すことなく、見栄えの良いコード付きイヤホンの巻取り器１とすることができる。
【００２４】
以上のように、コード付きイヤホンの巻取り器１は、巻取り板本体２に開孔されるイヤホン係止孔３がコード６ｂの一端に接続されるイヤホン本体６ａを差込み収容すると共に、巻取り板本体２の縁部から切込み形成されプラグ６ｃを接続するコード６ｂの他端を割込み挟持するため、巻取り板本体２の括れ部５に巻き付けられたコード６ｂが外れないものとなっていると同時に、巻取り板本体２を実生物又は創作生物等の輪郭形状とし、イヤホン本体６ａの形状を輪郭形状の眼球部分に見立てることにより、見栄えの良いものとなっている。
【符号の説明】
【００２５】
１              コード付きイヤホンの巻取り器
２              巻取り板本体
３              イヤホン係止孔
４              挟持用スリット
５              括れ部
６              コード付きイヤホン
６ａ            イヤホン本体
６ｂ            コード
６ｃ            プラグ
７              テーパ
８              リブ
【図１】
0003150121.tif 000003
【図２】
0003150121.tif 000004
【図３】
0003150121.tif 000005
【図４】
0003150121.tif 000006
【図５】
0003150121.tif 000007
【図６】
0003150121.tif 000008
【図７】
0003150121.tif 000009